(57)【要約】【課題】電線の芯線が装柱機器に接触することを防止する間接活線工事用端末キャップを提供する。【解決手段】端末キャップ１０は、一組の絶縁クリップ１ａ・１ｂとシャッタ板２を備える。絶縁クリップ１ａ・１ｂは、電線Ｗを挟持自在な一対のクリップ片１１・１１を有する。クリップ片１１は、電線Ｗを導入自在な溝部１ｄを有する。開閉自在な一対の把持腕９ａ・９ｂを先端部に有する絶縁操作棒９を用いて、一対のクリップ片１１・１１を開閉できる。シャッタ板２は、溝部１ｄの開口１ｋを封鎖できる。一対のシャッタ板２・２が互いに閉じた状態では、被覆Ｗｉが剥離された電線Ｗの端末の周囲を一対のクリップ片１１・１１で覆う共に、電線Ｗの端末の端面を一対のシャッタ板２・２で閉鎖できる。【選択図】図１
2018093578.tif 000002
【特許請求の範囲】
【請求項１】
開閉自在な一対の把持腕を先端部に有する絶縁操作棒を用いて、被覆が剥離された電線端末を絶縁体で覆って保護する間接活線工事用端末キャップであって、
電線その外周方向から導入自在に半円弧状に開口した溝部を形成し、電線を挟持自在な一対のクリップ片を一端部側に有し、中間部をヒンジ軸で互いに回動自在に連結し、一対の前記クリップ片の他端部側に延び、一対の前記把持腕を用いて、一対の前記クリップ片を開閉自在な一対の把持部を有する一組の半円筒状の絶縁クリップと、
これらのクリップ片の少なくとも一方の端部とスライド自在に連結し、前記溝部の開口を封鎖自在な、絶縁性を有する矩形のシャッタ板と、を備え、
前記クリップ片は、前記溝部の遠心方向に突出した矩形の鍔部を一方の端部に有し、
前記シャッタ板は、その背面から突出した一対の平行レールを有し、
前記鍔部は、
前記平行レールに開口された案内穴とスライド自在に連結し、前記溝部が延びる方向と略直交する方向に前記シャッタ板を案内する一対の平行ピンと、
前記溝部の開口を封鎖する方向に、前記シャッタ板を移動する力を付勢する付勢部材と、を内部に有し、
一対の前記シャッタ板が互いに閉じた状態では、被覆が剥離された電線の端末の周囲を一対の前記クリップ片で覆う共に、電線の端末の端面を一対の前記シャッタ板で閉鎖できる、間接活線工事用端末キャップ。
【請求項２】
前記シャッタ板は、前記鍔部の外形と略重なる外形を有している、請求項１記載の間接活線工事用端末キャップ。
【請求項３】
前記付勢部材は、引張コイルばねからなる、請求項１又は２記載の間接活線工事用端末キャップ。
【請求項４】
一組の前記絶縁クリップは、前記ヒンジ軸を外装すると共に、一対の前記クリップ片が閉じる方向に力を付勢するねじりコイルばねを備える、請求項１から３のいずれかに記載の間接活線工事用端末キャップ。
【発明の詳細な説明】
【技術分野】
【０００１】
本発明は、間接活線工事用端末キャップに関する。特に、電柱に架設された高圧配電線から分岐された縁線などを間接活線作業で切断した場合に、被覆が剥離された縁線の端末を絶縁体で覆って保護でき、切断後の電線の芯線が装柱機器に接触することを防止できる間接活線工事用端末キャップの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、用途に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁操作棒を用いて、電線を把持する作業の他に、電線に防護管を被せる作業、又は電線にバインド線を巻き付ける作業などが実施されている。
【０００５】
例えば、電柱に架設された高圧配電線から分岐された縁線（以下、電線という）を切断する間接活線工事が必要な場合がある。この場合、電線被覆剥離工具を先端部に備えた絶縁操作棒を用いて、電線の被覆を所定の長さで剥離している。
【０００６】
次に、固定ジョーと可動ジョーの間に電線を把持できる絶縁操作棒（いわゆる、ストレーリンクトング）を二本用いて、電線の剥離部の両側を把持している。次に、電線の剥離部の両側をストレーリンクトングで把持した状態で、電線の剥離部の中央部を間接活線工事用カッターで切断している。
【０００７】
次に、被覆が剥離された電線の端末に、絶縁性を有する端末キャップを取り付けて、電線の芯線を覆うことで、電線の芯線が装柱機器などに接触することを防止できる。
【０００８】
このような端末キャップとしては、開閉自在な一対の把持腕を先端部に有する絶縁操作棒を用いて、安全に、かつ、常に電線への取り付け状態を視認しながら確実に電線に取り付けできる、間接活線工事用端末キャップが開示されている（例えば、特許文献１参照）。
【先行技術文献】
【特許文献】
【０００９】
【特許文献１】特開２００２−１７０３４号公報
【発明の概要】
【発明が解決しようとする課題】
【００１０】
図１２は、従来技術による間接活線工事用端末キャップの構成を示す斜視図であり、一対のキャップ部材を開いた状態図である。図１３は、従来技術による間接活線工事用端末キャップの構成を示す縦断面図であり、一対のキャップ部材を開いた状態図である。なお、本願の図１２は、特許文献１の図１に相当し、本願の図１３は、特許文献１の図６に相当している。
【００１１】
又、図１４は、従来技術による間接活線工事用端末キャップの構成を示す左側面図であり、開閉自在な一対の把持腕を先端部に有する絶縁操作棒を用いて、間接活線工事用端末キャップを把持した状態図である。なお、本願の図１４は、特許文献１の図１２に相当している。
【００１２】
図１２から図１４を参照すると、従来技術による間接活線工事用端末キャップ（以下、端末キャップと略称する）８は、絶縁性を有する一対の半円筒状のキャップ部材８ａ・８ｂで構成している。これらのキャップ部材８ａ・８ｂは、屈曲自在な帯板状のヒンジ８ｈで一端部側を連結している。又、これらのキャップ部材８ａ・８ｂは、接離自在な把持片８１ａ・８１ｂを他端部側に突出している。
【００１３】
図１２から図１４を参照すると、一方の把持片８１ａは、矩形の係合穴８１ｈを開口している。他方の把持片８１ａは、槍状に形成したランス８１ｒを突出している。一対の把持片８１ａ・８１ｂが対向するように、開閉自在な一対の把持腕９ａ・９ｂを先端部に有する絶縁操作棒９を用いて、一対のキャップ部材８ａ・８ｂを閉じると（図１４参照）、ランス８１ｒを係合穴８１ｈに係止できる。
【００１４】
図１２から図１４を参照すると、他方のキャップ部材８ｂは、パテ付きのスポンジ体８１ｓを内部に備えている。電線Ｗの端末をスポンジ体８１ｓに突き当てることで、電線Ｗの内部に雨水が進入することを防止できる。
【００１５】
図１４に示すように、一対のキャップ部材８ａ・８ｂが半開き状態で、電線Ｗの端末を他方のキャップ部材８ｂの内部に挿入でき、一対の把持腕９ａ・９ｂを閉じることで、一対のキャップ部材８ａ・８ｂを確実に閉じて、電線Ｗの端末を挟持できる。
【００１６】
次に、端末キャップ８を操作するための絶縁操作棒の一例の構成を説明する。図１５は、絶縁操作棒の正面図である。図１６は、図１５に示した絶縁操作棒の先端部を拡大した正面図である。図１７は、図１６の左側面図である。
【００１７】
図１５から図１７を参照すると、絶縁操作棒９は、長尺の操作棒９１と把持工具９２で構成している。又、絶縁操作棒９は、作動棒９３を備えている。把持工具９２は、操作棒９１の先端部に取り付けている。
【００１８】
図１５又は図１６を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００１９】
図１５を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００２０】
図１５を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図１５又は図１６は、一方の把持腕９ａに対して、他方の把持腕９ｂが最大に開いた状態を示している。
【００２１】
図１６又は図１７を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図１５又は図１６を参照して、操作レバー９４を握ると、把持面９０ｂを把持面９０ａに近づけることができる。
【００２２】
図１５から図１７に示した絶縁操作棒９は、高所に配置された高圧配電線などを一対の把持爪９１ａ・９１ｂで把持できる、いわゆる「絶縁ヤットコ」になっている。
【００２３】
図１２から図１４を参照すると、従来技術による端末キャップ８は、切断された後の電線Ｗの端末が挿入されている。切断された後の電線Ｗの端末は、その芯線Ｗｃが露出している（図１２参照）。つまり、充電部が露出した状態になっている。
【００２４】
図１２から図１４を参照すると、従来技術による端末キャップ８は、電線Ｗを切断してから挿入されるまでの間に、露出した芯線Ｗｃが装柱機器などに接触して地絡事故が発生する心配がある。
【００２５】
電線を切断した後に、速やかに、被覆が剥離された電線の端末を絶縁体で覆って保護できる安全な間接活線工事用端末キャップが求められている。そして、以上のことが本発明の課題といってよい。
【００２６】
本発明は、このような課題に鑑みてなされたものであり、電線を切断した後に、速やかに、被覆が剥離された電線の端末を絶縁体で覆って保護できる安全な間接活線工事用端末キャップを提供することを目的とする。
【課題を解決するための手段】
【００２７】
本発明者は、絶縁クリップ及び一対のシャッタ板で切断後の電線の端末を速やかに封鎖することで、切断後の電線の芯線が装柱機器に接触することを防止できると考え、これに基づいて、以下のような新たな間接活線工事用端末キャップを発明するに至った。
【００２８】
（１）本発明による間接活線工事用端末キャップは、開閉自在な一対の把持腕を先端部に有する絶縁操作棒を用いて、被覆が剥離された電線端末を絶縁体で覆って保護する間接活線工事用端末キャップであって、電線その外周方向から導入自在に半円弧状に開口した溝部を形成し、電線を挟持自在な一対のクリップ片を一端部側に有し、中間部をヒンジ軸で互いに回動自在に連結し、一対の前記クリップ片の他端部側に延び、一対の前記把持腕を用いて、一対の前記クリップ片を開閉自在な一対の把持部を有する一組の半円筒状の絶縁クリップと、これらのクリップ片の少なくとも一方の端部とスライド自在に連結し、前記溝部の開口を封鎖自在な、絶縁性を有する矩形のシャッタ板と、を備え、前記クリップ片は、前記溝部の遠心方向に突出した矩形の鍔部を一方の端部に有し、前記シャッタ板は、その背面から突出した一対の平行レールを有し、前記鍔部は、前記平行レールに開口された案内穴とスライド自在に連結し、前記溝部が延びる方向と略直交する方向に前記シャッタ板を案内する一対の平行ピンと、前記溝部の開口を封鎖する方向に、前記シャッタ板を移動する力を付勢する付勢部材と、を内部に有し、一対の前記シャッタ板が互いに閉じた状態では、被覆が剥離された電線の端末の周囲を一対の前記クリップ片で覆う共に、電線の端末の端面を一対の前記シャッタ板で閉鎖できる。
【００２９】
（２）前記シャッタ板は、前記鍔部の外形と略重なる外形を有していることが好ましい。
【００３０】
（３）前記付勢部材は、「引張コイルばね」からなることが好ましい。
【００３１】
（４）一組の前記絶縁クリップは、前記ヒンジ軸を外装すると共に、一対の前記クリップ片が閉じる方向に力を付勢する「ねじりコイルばね」を備えることが好ましい。
【発明の効果】
【００３２】
本発明による間接活線工事用端末キャップは、電線を外周方向から導入自在な一組の半円筒状の絶縁クリップと、絶縁クリップの両端部とスライド自在に連結し、絶縁クリップの開口を封鎖自在な一対のシャッタ板で、端末キャップを構成しているので、電線を切断後に、速やかに電線の芯線を絶縁体で覆って保護できる。
【図面の簡単な説明】
【００３３】
【図１】本発明の一実施形態による間接活線工事用端末キャップの構成を示す斜視図である。
【図２】前記実施形態による間接活線工事用端末キャップの構成を示す斜視分解組立図であり、一組の絶縁クリップを対向配置した状態図である。
【図３】前記実施形態による間接活線工事用端末キャップの構成を示す斜視分解組立図である。
【図４】前記実施形態による間接活線工事用端末キャップの構成を示す平面図である。
【図５】前記実施形態による間接活線工事用端末キャップの構成を示す正面図である。
【図６】前記実施形態による間接活線工事用端末キャップの構成を示す右側面図である。
【図７】前記実施形態による間接活線工事用端末キャップの構成を示す縦断面図であり、図５のＡ−Ａ矢視断面図である。
【図８】前記実施形態による間接活線工事用端末キャップの構成を示す正面図であり、一組の絶縁クリップを開いて、電線をその外周方向から一組の絶縁クリップの内部に導入する前の状態図である。
【図９】前記実施形態による間接活線工事用端末キャップの構成を示す正面図であり、一組の絶縁クリップを閉じているが、一対のシャッタ板が電線に遮られて開いた状態図である。
【図１０】前記実施形態による間接活線工事用端末キャップの構成を示す縦断面図であり、一組の絶縁クリップが電線を挟持している状態図である。
【図１１】前記実施形態による間接活線工事用端末キャップの構成を示す縦断面図であり、図１０に示した状態から間接活線工事用端末キャップを移動して、一方の端部に配置した一対のシャッタ板が閉じた状態図である。
【図１２】従来技術による間接活線工事用端末キャップの構成を示す斜視図であり、一対のキャップ部材を開いた状態図である。
【図１３】従来技術による間接活線工事用端末キャップの構成を示す縦断面図であり、一対のキャップ部材を開いた状態図である。
【図１４】従来技術による間接活線工事用端末キャップの構成を示す左側面図であり、開閉自在な一対の把持腕を先端部に有する絶縁操作棒を用いて、間接活線工事用端末キャップを把持した状態図である。
【図１５】絶縁操作棒の正面図である。
【図１６】図１５に示した絶縁操作棒の先端部を拡大した正面図である。
【図１７】図１６の左側面図である。
【発明を実施するための形態】
【００３４】
以下、図面を参照して本発明を実施するための形態を説明する。
［間接活線工事用端末キャップの構成］
最初に、本発明の一実施形態による間接活線工事用端末キャップの構成を説明する。
【００３５】
図１は、本発明の一実施形態による間接活線工事用端末キャップの構成を示す斜視図である。図２は、前記実施形態による間接活線工事用端末キャップの構成を示す斜視分解組立図であり、一組の絶縁クリップを対向配置した状態図である。
【００３６】
図３は、前記実施形態による間接活線工事用端末キャップの構成を示す斜視分解組立図である。図４は、前記実施形態による間接活線工事用端末キャップの構成を示す平面図である。図５は、前記実施形態による間接活線工事用端末キャップの構成を示す正面図である。
【００３７】
図６は、前記実施形態による間接活線工事用端末キャップの構成を示す右側面図である。図７は、前記実施形態による間接活線工事用端末キャップの構成を示す縦断面図であり、図５のＡ−Ａ矢視断面図である。
【００３８】
図８は、前記実施形態による間接活線工事用端末キャップの構成を示す正面図であり、一組の絶縁クリップを開いて、電線をその外周方向から一組の絶縁クリップの内部に導入する前の状態図である。
【００３９】
図９は、前記実施形態による間接活線工事用端末キャップの構成を示す正面図であり、一組の絶縁クリップを閉じているが、一対のシャッタ板が電線に遮られて開いた状態図である。
【００４０】
図１０は、前記実施形態による間接活線工事用端末キャップの構成を示す縦断面図であり、一組の絶縁クリップが電線を挟持している状態図である。
【００４１】
図１１は、前記実施形態による間接活線工事用端末キャップの構成を示す縦断面図であり、図１０に示した状態から間接活線工事用端末キャップを移動して、一方の端部に配置した一対のシャッタ板が閉じた状態図である。
【００４２】
なお、従来技術で使用した符号と同じ符号を有する構成品は、その作用を同じとするので、以下説明を省略することがある。
【００４３】
（全体構成）
次に、本発明の一実施形態による間接活線工事用端末キャップの全体構成を説明する。
【００４４】
図１から図７を参照すると、本発明の一実施形態による間接活線工事用端末キャップ（以下、端末キャップと略称する）１０は、一組の半円筒状の絶縁クリップ１ａ・１ｂと一対一組の絶縁性を有する矩形のシャッタ板２を備えている。又、端末キャップ１０は、ヒンジ軸１ｓと「ねじりコイルばね」３を備えている。
【００４５】
図１から図７を参照すると、一方の絶縁クリップ１ａは、クリップ片１１を一端部側に有している。一方のクリップ片１１は、半円弧状に開口した溝部１ｄを形成している。一方の溝部１ｄには、電線Ｗをその外周方向から導入できる。
【００４６】
同様に、図１から図７を参照すると、他方の絶縁クリップ１ａは、クリップ片１１を一端部側に有している。他方のクリップ片１１は、半円弧状に開口した溝部１ｄを形成している。他方の溝部１ｄには、電線Ｗをその外周方向から導入できる。
【００４７】
図９又は図１０を参照して、一対のクリップ片１１・１１を互いに閉じると、電線Ｗを挟持できる。
【００４８】
図２又は図３及び図５又は図７を参照すると、一組の絶縁クリップ１ａ・１ｂは、それらの中間部をヒンジ軸１ｓで互いに回動自在に連結している。又、一組の絶縁クリップ１ａ・１ｂは、一対の把持部１２ａ・１２ｂを有している。一対の把持部１２ａ・１２ｂは、一対のクリップ片１１・１１の他端部側に延びている。
【００４９】
図２又は図３及び図５又は図７を参照すると、ねじりコイルばね３は、ヒンジ軸１ｓを外装している。又、ねじりコイルばね３は、一対のクリップ片１１・１１が閉じる方向に力を付勢している。
【００５０】
図１又は図５を参照して、ねじりコイルばね３の付勢力に抗して、一対の把持部１２ａ・１２ｂを一対の把持腕９ａ・９ｂで把持すると、一対のクリップ片１１・１１を開くことができる（図８参照）。一方、一対の把持腕９ａ・９ｂを一対の把持部１２ａ・１２ｂから解放すると、ねじりコイルばね３の付勢力で、一対のクリップ片１１・１１を閉じることができる（図１参照）。
【００５１】
図１から図３を参照すると、一方の一組のシャッタ板２・２は、一方のクリップ片１１の両端部とスライド自在に連結している。他方の一組のシャッタ板２・２は、他方のクリップ片１１の両端部とスライド自在に連結している。板厚面が対向する一対のシャッタ板２・２が互いに閉じることで、溝部１ｄの開口１ｋを封鎖できる（図７参照）。
【００５２】
図１から図３を参照すると、クリップ片１１は、溝部１ｄの遠心方向に突出した矩形の鍔部１ｈを両端部に有している。一方、図３を参照すると、シャッタ板２は、その背面から突出した一対の平行レール２ｒ・２ｒを有している。平行レール２ｒには、案内穴２１ｈを開口している。
【００５３】
図３を参照すると、鍔部１ｈは、一対の平行ピン１１ｐ・１１ｐと引張コイルばねからなる付勢部材１２ｓを内部に備えている。平行ピン１１ｐは、案内穴２１ｈとスライド自在に連結している。そして、一対の平行ピン１１ｐ・１１ｐは、溝部１ｄが延びる方向と略直交する方向にシャッタ板２を案内できる。
【００５４】
図３を参照すると、付勢部材１２ｓは、その一端部をシャッタ板２の端部に係止している。又、付勢部材１２ｓは、その他端部を鍔部１ｈの端部に係止している。そして、付勢部材１２ｓは、溝部１ｄの開口１ｋを封鎖する方向に、シャッタ板２を移動する力を付勢している。
【００５５】
図５又は図１１を参照して、一対のシャッタ板２・２が互いに閉じた状態では、被覆Ｗｉが剥離された電線Ｗの端末の周囲を一対のクリップ片１１・１１で覆う共に、電線Ｗの端末の端面を一対のシャッタ板２・２で閉鎖できる。
【００５６】
図１又は図８を参照すると、実施形態による端末キャップ１０は、開閉自在な一対の把持腕９ａ・９ｂを先端部に有する絶縁操作棒９を用いて、一組の絶縁クリップ１ａ・１ｂを開くことができ、切断前の電線Ｗを一組の絶縁クリップ１ａ・１ｂの間に導入できる。次に、一対の把持腕９ａ・９ｂを一対の把持部１２ａ・１２ｂから解放すると、切断前の電線Ｗを一組の絶縁クリップ１ａ・１ｂで挟持できる。
【００５７】
次に、図１０を参照して、被覆Ｗｉが剥離された切断後の電線Ｗに対して、電線Ｗの端末に向かって、端末キャップ１０を移動すると、一対のシャッタ板２・２を互いに閉じることができる（図５又は図１１参照）。そして、被覆Ｗｉが剥離された電線Ｗの端末の周囲を一対のクリップ片１１・１１で覆う共に、電線Ｗの端末の端面を一対のシャッタ板２・２で閉鎖できる（図１１参照）。
【００５８】
実施形態による端末キャップ１０は、電線Ｗを切断した後に、速やかに、被覆Ｗｉが剥離された電線Ｗの端末を絶縁体で覆って保護できるので、露出した芯線Ｗｃが装柱機器などに接触する心配がなく、安全であり安心である。
【００５９】
（絶縁クリップの構成）
次に、実施形態による絶縁クリップ１ａ・１ｂの構成を説明する。図１から図７を参照して、絶縁クリップ１ａ及び絶縁クリップ１ｂは、絶縁性を有する合成樹脂からなることが好ましく、絶縁性を有する合成樹脂を成形して、半円筒状の絶縁クリップ１ａ・１ｂを得ることができる。
【００６０】
図２を参照すると、一方の絶縁クリップ１ａは、円柱状のヒンジ軸１３ａを中間部の中央部から突出している。ヒンジ軸１３ａは、その中央部が切り欠かれており、ねじりコイルばね３を収容できる。又、ヒンジ軸１３ａは、ヒンジ軸１ｓを回動自在に支持する支持穴１３ｈを中心部に開口している。
【００６１】
一方、図３を参照すると、他方の絶縁クリップ１ｂは、一対の円柱状のヒンジ軸１３ｂ・１３ｂを中間部から突出している。一対のヒンジ軸１３ｂ・１３ｂの間には、ヒンジ軸１３ａを配置できる（図２参照）。又、一対のヒンジ軸１３ｂ・１３ｂには、ヒンジ軸１ｓが圧入される圧入穴１４ｈを中心部に開口している。
【００６２】
図２又は図３を参照して、ねじりコイルばね３をヒンジ軸１３ａの内部に収容し、支持穴１３ｈの中心と圧入穴１４ｈの中心が一致するように、ヒンジ軸１３ａと一対のヒンジ軸１３ｂ・１３ｂを組み合わせ、圧入穴１４ｈにヒンジ軸１ｓを圧入することで、一対の絶縁クリップ１ａ・１ｂを開閉自在に連結できる。
【００６３】
（鍔部及びシャッタ板の構成）
次に、実施形態による鍔部１ｈ及びシャッタ板２の構成を説明する。図１から図７を参照すると、シャッタ板２は、絶縁性を有する合成樹脂からなることが好ましく、絶縁性を有する合成樹脂を成形して、平板状のシャッタ板２を得ることができる。
【００６４】
図１から図５を参照して、シャッタ板２は、鍔部１ｈの外形と略重なる外形を有していることが好ましい。
【００６５】
図３を参照すると、鍔部１ｈは、長方形に開口した一対の第１溝部１１ｄ・１１ｄを一方の面から穿設している。一対の第１溝部１１ｄ・１１ｄは、略平行に配置されている。一対の第１溝部１１ｄ・１１ｄには、一対の平行レール２ｒ・２ｒを収容できる。平行レール２ｒが第１溝部１１ｄの長手方向の内壁に当接することで、鍔部１ｈに対するシャッタ板２の停止位置を規定できる。
【００６６】
又、図３を参照すると、一対の第１溝部１１ｄ・１１ｄの間には、長方形に開口した第２溝部１２ｄを設けている。第２溝部１２ｄは、鍔部１ｈの一方の面から穿設している。第２溝部１２ｄには、付勢部材１２ｓを収容できる。
【００６７】
図３を参照して、付勢部材１２ｓの一端部をシャッタ板２の端部に係止し、付勢部材１２ｓの他端部を第２溝部１２ｄの端部に係止した状態で、シャッタ板２の背面を鍔部１ｈの一方の面に当接する。次に、平行ピン１１ｐが案内穴２１ｈに挿通するように、平行ピン１１ｐを鍔部１ｈの外面から圧入することで、鍔部１ｈに対してシャッタ板２をスライド自在に連結できる。
【００６８】
図１から図１１を参照すると、実施形態による端末キャップ１０は、一対のシャッタ板２・２を絶縁クリップ１ａ・１ｂの両端部に配置しているが、一対のシャッタ板２・２は、絶縁クリップ１ａ・１ｂの一方の端部にのみ配置することもできる。
【００６９】
［間接活線工事用端末キャップの作用］
次に、実施形態による端末キャップ１０の操作方法を説明しながら、端末キャップ１０の作用及び効果を説明する。
【００７０】
最初に、図１又は図８を参照して、一対の把持腕９ａ・９ｂで一対の把持部１２ａ・１２ｂを把持すると、一組の絶縁クリップ１ａ・１ｂを開くことができる。そして、切断前の電線Ｗを一組の絶縁クリップ１ａ・１ｂの間に導入できる（図８参照）。
【００７１】
次に、図１又は図９を参照して、一対の把持腕９ａ・９ｂを一対の把持部１２ａ・１２ｂから解放すると、切断前の電線Ｗを一組の絶縁クリップ１ａ・１ｂで挟持できる。図９に示した状態では、切断前の電線Ｗに遮られて、一対のシャッタ板２・２は、互いに離反する方向に移動している（図９参照）。
【００７２】
次に、図１０を参照すると、電線Ｗは、切断されて、その端末の被覆Ｗｉが剥離されている。図１０に示した状態で、一対の把持腕９ａ・９ｂを用いて（図１０参照）、一対の把持部１２ａ・１２ｂを把持すると、被覆Ｗｉが剥離された切断後の電線Ｗの端末に向かって、端末キャップ１０を移動できる。
【００７３】
次に、図１１を参照すると、一対のシャッタ板２・２が切断後の電線Ｗの端末を乗り越える位置まで移動すると、付勢部材１２ｓの付勢力で（図３参照）、一対のシャッタ板２・２を閉じることができる（図５参照）。そして、一対の把持腕９ａ・９ｂを一対の把持部１２ａ・１２ｂから解放し、図１１に示した状態では、被覆Ｗｉが剥離された電線Ｗの端末の周囲を一対のクリップ片１１・１１で覆う共に、電線Ｗの端末の端面を一対のシャッタ板２・２で閉鎖できる。
【００７４】
実施形態による端末キャップ１０は、電線Ｗを切断した後に、速やかに、被覆Ｗｉが剥離された電線Ｗの端末を絶縁体で覆って保護できるので、露出した芯線Ｗｃが装柱機器などに接触する心配がなく、安全であり安心である。
【００７５】
本発明による間接活線工事用端末キャップは、次のような効果が期待できる。
（１）電線を切断後に、速やかに電線の芯線を絶縁体で覆って保護できる。
（２）切断後の芯線が装柱機器に接触することを防止できる。
（３）端末キャップの開口に向けて、切断後の電線を挿入する作業を省略できる。
【００７６】
本発明は、間接活線工事に好適な端末キャップを開示したが、本発明による端末キャップは、架空配電線に限定されることなく、一般的な電線に適用することが期待される。
【符号の説明】
【００７７】
１ａ・１ｂ  一組の絶縁クリップ
１ｄ  溝部
１ｈ  鍔部
１ｋ  溝部の開口
１ｓ  ヒンジ軸
２  シャッタ板
２ｒ・２ｒ  一対の平行レール
９  絶縁操作棒
９ａ・９ｂ  一対の把持腕
１０  端末キャップ（間接活線工事用端末キャップ）
１１・１１  一対のクリップ片
１１ｐ・１１ｐ  一対の平行ピン
１２ａ・１２ｂ  一対の把持部
１２ｓ  付勢部材
Ｗ  電線
Ｗｉ  被覆
【図１】
2018093578.tif 000003
【図２】
2018093578.tif 000004
【図３】
2018093578.tif 000005
【図４】
2018093578.tif 000006
【図５】
2018093578.tif 000007
【図６】
2018093578.tif 000008
【図７】
2018093578.tif 000009
【図８】
2018093578.tif 000010
【図９】
2018093578.tif 000011
【図１０】
2018093578.tif 000012
【図１１】
2018093578.tif 000013
【図１２】
2018093578.tif 000014
【図１３】
2018093578.tif 000015
【図１４】
2018093578.tif 000016
【図１５】
2018093578.tif 000017
【図１６】
2018093578.tif 000018
【図１７】
2018093578.tif 000019